(57)【要約】【課題】真空断熱材の寸法バラツキを良好に吸収しつつ、所望の個所に良好に配設することができる断熱パネルを提供すること。【解決手段】平板状のコア４１１をフィルム４１２で被包してその内部を減圧することにより形成され、かつ外縁部にフィルム４１２のみで構成されるヒレ部分を有する真空断熱材４１を備えた矩形状の断熱パネル（４ｂ）であって、予め決められた形状に形成可能な折り目４２ａが付けられて成り、ヒレ部分を折り重ねた真空断熱材４１を収納した状態で折り目４２ａに沿って折り曲げることでパネル自体の外径寸法を構成するシート材４２を備えたものである。このシート材４２は、ヒレ部分が外部に露出されることを規制する態様で真空断熱材４１を覆うことが好ましい。【選択図】図７
2014009732.tif 000002
【特許請求の範囲】
【請求項１】
平板状の芯材を外被材で被包してその内部を減圧することにより形成され、かつ外縁部に前記外被材のみで構成されるヒレ部分を有する真空断熱材を備えた矩形状の断熱パネルであって、
予め決められた形状に形成可能な折り目が付けられて成り、前記ヒレ部分を折り重ねた前記真空断熱材を収納した状態で前記折り目に沿って折り曲げることでパネル自体の外径寸法を構成するシート材を備えたことを特徴とする断熱パネル。
【請求項２】
前記シート材は、前記ヒレ部分が外部に露出されることを規制する態様で前記真空断熱材を覆うことを特徴とする請求項１に記載の断熱パネル。
【発明の詳細な説明】
【技術分野】
【０００１】
本発明は、断熱パネルに関し、より詳細には、平板状の芯材を外被材で被包してその内部を減圧することにより形成され、かつ外縁部に外被材のみで構成されるヒレ部分を有する真空断熱材（ＶＩＰ：Vacuum  Insulation  Panel）を備えた矩形状の断熱パネルに関するものである。
【背景技術】
【０００２】
従来、真空断熱材（ＶＩＰ）は、芯材を外被材で覆いその内部を減圧することにより形成されるもので、外縁部に外被材のみで構成されるヒレ部分を有している。そこで、このような真空断熱材を断熱パネルとして用いる場合には、ヒレ部分を芯材側に折り重ねるようにしているが、芯材自体の寸法誤差や折り重ねたヒレ部分の形状等により寸法バラツキが生じてしまうことがあった。
【０００３】
そこで、ヒレ部分を折り重ねた真空断熱材の各端面に弾性材よりなるシール材を貼付して成り、かかるシール材が弾性変形することで寸法バラツキを吸収するようにした断熱パネルが提案されている（例えば、特許文献１参照）。
【先行技術文献】
【特許文献】
【０００４】
【特許文献１】特開２００９−０１５７６３号公報
【発明の概要】
【発明が解決しようとする課題】
【０００５】
しかしながら、上述した特許文献１に提案されているような断熱パネルでは、各端面に貼付したシール材が弾性変形することで寸法バラツキを吸収するようにしているために、支持部材を介してかかる断熱パネルを所望の位置に配設しようとする場合には、シール材を弾性変形させながら支持部材に取り付けることが必要になることがある。そのため、支持部材にシール材の弾性変形による押圧力が付与される結果、支持部材自体が変形等してしまい、断熱パネルを所望の位置に配設することが困難になることがあった。
【０００６】
本発明は、上記実情に鑑みて、真空断熱材の寸法バラツキを良好に吸収しつつ、所望の個所に良好に配設することができる断熱パネルを提供することを目的とする。
【課題を解決するための手段】
【０００７】
上記目的を達成するために、本発明の請求項１に係る断熱パネルは、平板状の芯材を外被材で被包してその内部を減圧することにより形成され、かつ外縁部に前記外被材のみで構成されるヒレ部分を有する真空断熱材を備えた矩形状の断熱パネルであって、予め決められた形状に形成可能な折り目が付けられて成り、前記ヒレ部分を折り重ねた前記真空断熱材を収納した状態で前記折り目に沿って折り曲げることでパネル自体の外径寸法を構成するシート材を備えたことを特徴とする。
【０００８】
また、本発明は、上記断熱パネルにおいて、前記シート材は、前記ヒレ部分が外部に露出されることを規制する態様で前記真空断熱材を覆うことを特徴とする。
【発明の効果】
【０００９】
本発明の断熱パネルによれば、予め決められた形状に形成可能な折り目が付けられて成るシート材が、ヒレ部分を折り重ねた前記真空断熱材を収納した状態で前記折り目に沿って折り曲げることでパネル自体の外径寸法を構成するシート材が、ヒレ部分を折り重ねた真空断熱材を収納した状態で折り目に沿って折り曲げられることでパネル自体の外径寸法を構成しているので、芯材自体の寸法誤差や折り重ねたヒレ部分の形状等により寸法バラツキが生じたとしてもかかる寸法バラツキを吸収することができる。しかも従来のようにシール材を弾性変形させずに外径寸法が一律に規定されるので、例えば端面等に付設される支持部材を変形させる虞れがなく、かかる支持部材を用いて所望の個所に配設させることができる。従って、真空断熱材の寸法バラツキを良好に吸収しつつ、所望の個所に良好に配設することができるという効果を奏する。
【図面の簡単な説明】
【００１０】
【図１】図１は、本発明の実施の形態である断熱パネルが適用された自動販売機を概念的に示す概念図である。
【図２】図２は、図１に示した自動販売機の外箱及び商品収容室の構成を示す概念図である。
【図３】図３は、図１に示した自動販売機の外箱の内部における１つの商品収容庫の内部構造を示す断面側面図である。
【図４】図４は、図１に示した上部内扉を形成する真空断熱材を示すもので、（ａ）は正面図、（ｂ）は平面図、（ｃ）は側面図である。
【図５】図５は、図４に示した真空断熱材の長辺側ヒレ部分及び短辺側ヒレ部分を折り重ねた状態を示すもので、（ａ）は正面図、（ｂ）は平面図、（ｃ）は側面図である。
【図６】図６は、図１に示した上部内扉を形成するシート材を示す展開図である。
【図７】図７は、図６に示したシート材により上部内扉を形成する手順を模式的に示す説明図である。
【発明を実施するための形態】
【００１１】
以下に添付図面を参照して、本発明に係る断熱パネルの好適な実施の形態について詳細に説明する。
【００１２】
図１は、本発明の実施の形態である断熱パネルが適用された自動販売機を概念的に示す概念図である。ここで例示する自動販売機は、例えば缶入り飲料やペットボトル入り飲料等の商品を冷却、若しくは加熱した状態で販売するもので、外箱１０、外扉３０及び内扉４０を備えている。
【００１３】
外箱１０は、図２に示すように、複数の金属板を適宜組み合わせることによって構成された自動販売機本体であり、前面が開口した箱状に構成されている。より具体的には、上壁１１、一対の側壁１２、底壁１３、背壁１４が接合されることによって外箱１０が構成されている。一対の側壁１２は、それぞれ底壁１３よりも下方に延在しており、互いの間に台座壁１５が接合されている。
【００１４】
外箱１０には、その内部に断熱構造の商品収容室２０が設けられている。本実施の形態では、図２に示すように、上壁１１、一対の側壁１２、底壁１３、背壁１４の内壁面にそれぞれ予め板状に成形した断熱ボード２１が配設されることにより、これら断熱ボード２１によって囲まれる空間に商品収容室２０が構成されている。そして、商品収容室２０に対して前方側より例えば２つの断熱仕切板２２が挿入されることで、外箱１０の内部に３つの独立した商品収容庫２３が左右に並んだ態様で設けられている。
【００１５】
図３は、図１に示した外箱１０の内部における１つの商品収容庫２３の内部構造を示す断面側面図である。この図３では、最も左側にある商品収容庫（以下、左庫ともいう）２３の内部構造について示すが、中央の商品収容庫（以下、中庫ともいう）２３及び右側の商品収容庫（以下、右庫ともいう）２３の内部構造も左庫と略同じような構成を有している。尚、本明細書における左側とは、自動販売機を正面側から見た場合の左方を示し、右側とは、自動販売機を正面側から見た場合の右方を示す。
【００１６】
左庫の内部には、搬出シュータ２４が設けられており、この搬出シュータ２４よりも下方となる領域（以下、「熱交換領域」ともいう）に温度調節ユニット２５が配設されている一方、搬出シュータ２４よりも上方となる領域（以下、「商品収納領域」ともいう）に商品収納ラック２８が配設されている。
【００１７】
搬出シュータ２４は、商品収納ラック２８から払い出された商品を内扉４０（下部内扉４０ａ）の商品搬出口４３に案内するためのプレート状部材であり、前方側に向けて漸次下方に傾斜する態様で配設されている。この搬出シュータ２４には、熱交換領域と商品収納領域との間を連通させる通気孔が多数穿設してある。
【００１８】
温度調節ユニット２５は、左庫の内部雰囲気を所望の温度状態に維持するためのもので、蒸発器２５ａ、電熱ヒータ２５ｂ及び庫内送風ファン２５ｃを備えて構成されている。
【００１９】
蒸発器２５ａは、圧縮機２６１、凝縮器２６２及び膨張弁２６３と冷媒配管２７にて接続されて冷凍サイクルを構成するものであり、自身の流路を通過する冷媒が蒸発することで周囲空気を冷却するものである。ここで、圧縮機２６１、凝縮器２６２及び膨張弁２６３は、外箱１０の内部であって商品収容室２０の下方に区画された機械室１６に配設されている。
【００２０】
電熱ヒータ２５ｂは、蒸発器２５ａの前方域に配設されており、通電状態となることにより自身の周囲空気を加熱する加熱源である。庫内送風ファン２５ｃは、左庫（商品収容庫２３）の内部空気を循環させるための送風手段である。
【００２１】
このような温度調節ユニット２５においては、例えば冷凍サイクルを運転した状態で庫内送風ファン２５ｃを駆動すると、蒸発器２５ａにおいて冷却された空気が搬出シュータ２４の通気孔を通じて上方に送給されるため、商品収納ラック２８（商品収納領域）を低温状態に維持することができる。一方、電熱ヒータ２５ｂに通電した状態で庫内送風ファン２５ｃを駆動すると、電熱ヒータ２５ｂによって加熱された空気が搬出シュータ２４の通気孔を通じて上方に送給されるため、商品収納ラック２８（商品収納領域）を高温状態に維持することができる。
【００２２】
外扉３０は、外箱１０の前面開口を覆うためのもので、外箱１０の左側縁部に開閉移動可能に配設されている。外扉３０の前面には、商品を販売する際に必要となるディスプレイウィンドウ、商品選択ボタン、紙幣挿通口、硬貨投入口、返却レバー、金額表示器、硬貨返却口が設けられているとともに（いずれも図示せず）、商品取出口３１が設けられている。
【００２３】
また、この外扉３０には商品取出部３２が設けられている。商品取出部３２は、商品収容庫２３における商品収納ラック２８から払い出されて内扉４０の後述する商品搬出口４３を通過した商品を収容し、かつ商品取出口３１を通じて該商品を取出可能にするものである。
【００２４】
内扉４０は、商品収容庫２３（商品収容室２０）の前面を覆うための断熱扉で、外扉３０よりも内方となる位置において外箱１０の一側縁部に開閉可能に配設されている。この内扉４０は、上下に分割された構造を有しており、商品収容庫２３（商品収容室２０）の前面開口の下部側を覆う下部内扉４０ａと、商品収容庫２３（商品収容室２０）の前面開口の上部側を覆う上部内扉４０ｂとから構成されている。
【００２５】
下部内扉４０ａは、図１及び図３に示すように、各商品収容庫２３に対応した部位に商品搬出扉４４を備えた商品搬出口４３が形成されており、商品収納ラック２８から商品が搬出シュータ２４に払い出された場合に、商品搬出口４３を通じて商品を商品取出部３２に搬出することが可能である。
【００２６】
上部内扉４０ｂは、外扉３０の内方となる位置において外箱１０の一側縁部に開閉可能に配設されており、支持部材５０を介して外扉３０の裏面に取付支持されている。この上部内扉４０ｂは、外扉３０とともに開閉移動するものである。
【００２７】
このような上部内扉４０ｂは、断熱パネルにより構成されている。尚、本実施の形態においては、断熱パネルの適用例として上部内扉４０ｂについて説明するが、本発明においては、かかる上部内扉４０ｂだけに限られず、商品収容室２０を構成する断熱ボード２１が断熱パネルにより構成されていてもよい。この場合、上部内扉４０ｂとは長さ寸法や幅寸法等が異なるだけであり、基本的な構成は同じである。ここで例示する上部内扉４０ｂは、真空断熱材（ＶＩＰ）４１と、シート材４２とを備えて構成されている。
【００２８】
真空断熱材４１は、図４に示すように、例えばガラス繊維等の熱伝導性が低い材料からなるコア（芯材）４１１を例えばポリアミド等のフィルム（外被材）４１２にて被包して脱気密封した矩形状のものである。かかる真空断熱材４１においては、製造工程の特性上、外縁部にフィルム４１２のみにより構成されるヒレ部分が形成される。より詳細には、コア４１１の長辺に沿って延びるフィルム４１２のみにより構成される長辺側ヒレ部分４１２ａと、コア４１１の短辺に沿って延びるフィルム４１２のみにより構成される短辺側ヒレ部分４１２ｂとが形成される。
【００２９】
かかる真空断熱材４１は、図５に示すように、長辺側ヒレ部分４１２ａと、短辺側ヒレ部分４１２ｂとを順に、コア被覆部分４１１ｃに折り重ねることにより用いられることになる。
【００３０】
シート材４２は、例えばクラフト紙やポリエチレンテレフタレート（ＰＥＴ）シート等のような熱伝導性の低いものにより構成されるものである。このシート材４２は、図６に示すように、例えば略直方体を展開させた形状を成しており、かかる略直方体を形成可能な折り目４２ａが予め付けられて成るものである。
【００３１】
このようなシート材４２により構成される略直方体は、真空断熱材４１を一部が露出した状態で収納することができる大きさを有しており、より詳細には、コア４１１の寸法誤差や折り重ねたヒレ部分の形状等により許容範囲内であっても最も大きな寸法を有する真空断熱材４１を収納することができる大きさを有している。
【００３２】
そして、図７の（ａ）に示すように、シート材４２にヒレ部分を折り重ねた状態の真空断熱材４１を載置し、かかる真空断熱材４１を収納した状態で折り目４２ａに沿って折り曲げて適宜図示せぬテープ材を貼り付けることにより、図７の（ｂ）に示すような真空断熱材４１の一部が露出された直方体状の断熱パネルにより構成される上部内扉４０ｂが形成される。つまり、シート材４２は、折り目４２ａに沿って折り曲げることで上部内扉４０ｂ自体の外径寸法を構成している。この場合において、真空断熱材４１のヒレ部分（長辺側ヒレ部分４１２ａ及び短辺側ヒレ部分４１２ｂ）は、シート材４２に覆われて外部に露出されないようにされている。換言すると、シート材４２は、ヒレ部分が外部に露出されることを規制する態様で真空断熱材４１を覆うものである。
【００３３】
このような上部内扉４０ｂ（断熱パネル）においては、予め決められた形状に形成可能な折り目４２ａが付けられて成るシート材４２が、ヒレ部分を折り重ねた真空断熱材４１を収納した状態で折り目４２ａに沿って折り曲げられることで上部内扉４０ｂ自体の外径寸法を構成しているので、コア４１１自体の寸法誤差や折り重ねたヒレ部分の形状等により寸法バラツキが生じたとしてもかかる寸法バラツキを吸収することができる。しかも従来のようにシール材を弾性変形させずに外径寸法が一律に規定されるので、例えば端面等に付設される支持部材５０を変形させる虞れがなく、かかる支持部材５０を用いて所望の個所に配設させることができる。
【００３４】
従って、本実施の形態である上部内扉４０ｂによれば、真空断熱材４１の寸法バラツキを良好に吸収しつつ、所望の個所に良好に配設することができる。
【００３５】
またシート材４２により外径寸法が一律に規定されるので、断熱パネルの適用個所によっては気密性の向上を図ることも可能である。
【００３６】
上記上部内扉４０ｂによれば、シート材４２が、ヒレ部分が外部に露出されることを規制する態様で真空断熱材４１を覆うので、該ヒレ部分を伝う熱伝導（ヒートブリッジ）の発生を抑制することができ、断熱性能の向上を図ることができる。
【符号の説明】
【００３７】
１０  外箱（自動販売機本体）
２０  商品収容室
２１  断熱ボード
２３  商品収容庫
２８  商品収納ラック
３０  外扉
３１  商品取出口
３２  商品取出部
４０  内扉
４０ａ  下部内扉
４０ｂ  上部内扉
４１  真空断熱材（ＶＩＰ）
４１１  コア（芯材）
４１２  フィルム（外被材）
４１２ａ  長辺側ヒレ部分
４１２ｂ  短辺側ヒレ部分
４２  シート材
４２ａ  折り目
４３  商品搬出口
４４  商品搬出扉
【図１】
2014009732.tif 000003
【図２】
2014009732.tif 000004
【図３】
2014009732.tif 000005
【図４】
2014009732.tif 000006
【図５】
2014009732.tif 000007
【図６】
2014009732.tif 000008
【図７】
2014009732.tif 000009